(57)【要約】      （修正有）【課題】電子メール受信による添付ファイルを第三者に見られたくないには印刷を実行することなく受信した添付ファイルを保存しておき、また、そのまま直ぐに印刷してほしい場合には添付ファイルの印刷を直ちに実行する。【解決手段】ネットワークを介して送られてくる電子メールを受信するための第１のメールアドレスと第２のメールアドレスを有する画像形成装置において、上記第２のメールアドレス宛の電子メールの送信元アドレスを登録しておき、受信した電子メールの宛先アドレスを判定し、第１のメールアドレス宛の電子メールである場合には、添付ファイルを印刷し（ステップＳ３）、上記第２のメールアドレス宛の電子メールである場合には、送信元アドレスが登録されているか否かを判定し（ステップＳ６）、送信元アドレスが登録されている場合には、添付ファイルを保存する（ステップＳ８）。【選択図】図４
2009193547.tif 000002
【特許請求の範囲】
【請求項１】
ネットワークを介して送られてくる電子メールを受信するための第１のメールアドレスと第２のメールアドレスを有し、受信した電子メールを印刷する画像形成装置であって、
電子メールを受信するための受信手段と、
上記受信手段により受信した電子メールの添付ファイルを印刷する印刷手段と、
上記第２のメールアドレス宛の電子メールの添付ファイルを保存しておく不揮発性の記憶手段と、
上記受信手段により受信した電子メールが上記第１のメールアドレス宛の電子メールである場合には、受信した上記第１のメールアドレス宛の電子メールの添付ファイルを上記印刷手段により印刷し、上記受信手段により受信した電子メールが上記第２のメールアドレス宛の電子メールである場合には、受信した上記第２のメールアドレス宛の電子メールの添付ファイルを上記記憶手段に保存する制御を行う制御手段と
を有することを特徴とする画像形成装置。
【請求項２】
上記第２のメールアドレス宛の電子メールの送信元アドレスを登録する送信元アドレス登録手段と、
上記受信手段により受信した上記第２のメールアドレス宛の電子メールの送信元アドレスが上記送信元アドレス登録手段に登録されているか否かを判定する送信元アドレス判定手段と
を有し、
上記制御手段は、上記受信手段により受信した電子メールが上記第２のメールアドレス宛の電子メールである場合には、上記送信元アドレス判定手段による判定結果に基づいて、受信した上記第２のメールアドレス宛の電子メールの送信元アドレスが上記送信元アドレス登録手段に登録されている場合に、受信した上記第２のメールアドレス宛の電子メールの添付ファイルを上記記憶手段に保存する制御を行うことを特徴とする請求項１記載の画像形成装置。
【請求項３】
上記送信元アドレス登録手段は、上記第２のメールアドレス宛の電子メールの送信元アドレスとともにパスワードを設定登録し、
上記制御手段は、上記不揮発性の記憶手段に保存された上記第２のメールアドレス宛の電子メールの添付ファイルを印刷する際に、上記送信元アドレスとパスワードの入力を受け付けて、上記第２のメールアドレス宛の電子メールの添付ファイルの印刷処理を実行させる制御を行う
ことを特徴とする請求項２記載の画像形成装置。
【請求項４】
ネットワークを介して送られてくる電子メールを受信するための第１のメールアドレスと第２のメールアドレスを有する画像形成装置により受信した電子メールの添付ファイルの画像形成制御方法であって、
電子メールを受信し、
受信した電子メールが上記第１のメールアドレス宛の電子メールであるか否かを判定し、
受信した電子メールが上記第１のメールアドレス宛の電子メールである場合には、受信した上記第１のメールアドレス宛の電子メールの添付ファイルを印刷し、
受信した電子メールが上記第１のメールアドレス宛の電子メールでない場合には、受信した電子メールが上記第２のメールアドレス宛の電子メールであるか否かを判定し、
電子メールが上記第２のメールアドレス宛の電子メールである場合には、受信した上記第２のメールアドレス宛の電子メールの添付ファイルを印刷することなく不揮発性の記憶手段に保存しておく制御を行う
ことを特徴とする画像形成制御方法。
【請求項５】
上記第２のメールアドレス宛の電子メールの送信元アドレスを登録しておき、
受信した電子メールが上記第２のメールアドレス宛の電子メールである場合に、受信した上記第２のメールアドレス宛の電子メールの送信元アドレスが登録されているか否かを判定し、
受信した上記第２のメールアドレス宛の電子メールの送信元アドレスが登録されている場合に、受信した上記第２のメールアドレス宛の電子メールの添付ファイルを印刷することなく不揮発性の記憶手段に保存しておく制御を行う
ことを特徴とする請求項４記載の画像形成制御方法。
【請求項６】
上記第２のメールアドレス宛の電子メールの送信元アドレスとともにパスワードを設定登録しておき、上記不揮発性の記憶手段に保存された上記第２のメールアドレス宛の電子メールの添付ファイルを印刷する際に、上記送信元アドレスとパスワードの入力を受け付けて、上記第２のメールアドレス宛の電子メールの添付ファイルの印刷処理を実行させる制御を行うことを特徴とする請求項５記載の画像形成制御方法。
【発明の詳細な説明】
【技術分野】
【０００１】
本発明は、ネットワークを介して送られてくる電子メールを受信するための第１のメールアドレスと第２のメールアドレスを有し、受信した電子メールを印刷する画像形成装置及びその画像形成制御方法に関する。
【背景技術】
【０００２】
近年、コンピュータネットワークが普及し、多くのオフィスではコンピュータ、プリンタ等の複数台の情報機器を接続したＬＡＮを構築している。コンピュータおよびプリンタ、スキャナ、デジタルカメラなどの周辺機器が普及すると共に、ＬＡＮ等のネットワークも普及しており、ネットワーク上でプリンタ、モデム、画像読取り装置などを共有することによって、ネットワーク上のあらゆる装置を使用できる環境になってきた。
【０００３】
例えば複数のパーソナルコンピュータ（以下、「パソコン」ということがある。）及び複数の印刷機等の画像形成装置が、ネットワークを構成し、ある一つのパソコンから、ある一つの画像形成装置に対して、文書・図画等の情報及び印刷命令を送信することで、当該文書・当該図画等の印刷が可能な画像形成システムが知られている。この場合、上記ネットワークとしては、有線接続・無線接続のいずれをも想定することが可能であり、あるいはいわゆるＷＷＷ（Ｗｏｒｌｄ Ｗｉｄｅ Ｗｅｂ）を利用したものも想定することができる。
【０００４】
従来より、例えば、プリンタや複写機、ファクシミリ装置あるいはこれらの複合機等、印刷機能を有する画像形成装置においては、ネットワークに接続され、受信した電子メールを印刷する機能を有するものがある（例えば、特許文献１参照）。
【０００５】
また、添付ファイル付き電子メールを受信して、その添付ファイルに基づいて直接的に印刷を実行する機能を有する画像形成装置では、電子メールに添付されたデータをさまざまな設定で印刷できるように、メール本文にスクリプトを記述できるようにし、その命令に従って印刷を実行するようにしたものも提案されている（例えば、特許文献２参照）。
【０００６】
さらに、親展データに対してパスワードを設定することにより、受信した親展データは、パスワードを待って出力するようにしたものもある。
【０００７】
【特許文献１】特開平８−３０５５１８号公報
【特許文献２】特開２００２−３４２８５２号公報
【特許文献３】特開２００１−２１６１０１号公報
【発明の開示】
【発明が解決しようとする課題】
【０００８】
ところで、電子メール受信による添付ファイルを印刷可能なプリンタ装置において、受信したメールの添付ファイルは無条件で印刷してしまう。しかしながら、出先から自分の職場のプリンタにメールを送る場合など、印刷物を第三者に見られたくない場合もある。それとは別に、そのまま直ぐに印刷してほしい場合も存在する。
【０００９】
しかしながら、ユーザがメール本文にスクリプトを記述して添付ファイルの印刷の実行の可否を制御するには、スクリプトの記述法を習得する必要があった。
【００１０】
そこで、本発明の目的は、上述の如き従来の実情に鑑み、電子メール受信による添付ファイルを第三者に見られたくないには印刷を実行することなく受信した添付ファイルを保存しておき、また、そのまま直ぐに印刷してほしい場合には添付ファイルの印刷を直ちに実行するようにしてユーザの利便性の向上を図った画像形成装置及びその画像形成制御方法を提供することにある。
【００１１】
本発明の更に他の目的、本発明によって得られる具体的な利点は、以下に説明される実施の形態の説明から一層明らかにされる。
【課題を解決するための手段】
【００１２】
本発明では、受信すると無条件に受信したメールを印刷するためのメールアドレスと、印刷せずに、ハードディスクなど不揮発性の記憶装置に保存するためのメールアドレスの２つのメールアドレスを画像形成装置に持たせる。
【００１３】
すなわち、本発明は、ネットワークを介して送られてくる電子メールを受信するための第１のメールアドレスと第２のメールアドレスを有し、受信した電子メールを印刷する画像形成装置であって、電子メールを受信するための受信手段と、上記受信手段により受信した電子メールの添付ファイルを印刷する印刷手段と、上記第２のメールアドレス宛の電子メールの添付ファイルを保存しておく不揮発性の記憶手段と、上記受信手段により受信した電子メールが上記第１のメールアドレス宛の電子メールである場合には、受信した上記第１のメールアドレス宛の電子メールの添付ファイルを上記印刷手段により印刷し、上記受信手段により受信した電子メールが上記第２のメールアドレス宛の電子メールである場合には、受信した上記第２のメールアドレス宛の電子メールの添付ファイルを上記記憶手段に保存する制御を行う制御手段とを有することを特徴とする。
【００１４】
本発明に係る画像形成装置では、例えば、上記第２のメールアドレス宛の電子メールの送信元アドレスを登録する送信元アドレス登録手段と、上記受信手段により受信した上記第２のメールアドレス宛の電子メールの送信元アドレスが上記送信元アドレス登録手段に登録されているか否かを判定する送信元アドレス判定手段とを有し、上記制御手段は、上記受信手段により受信した電子メールが上記第２のメールアドレス宛の電子メールである場合には、上記送信元アドレス判定手段による判定結果に基づいて、受信した上記第２のメールアドレス宛の電子メールの送信元アドレスが上記送信元アドレス登録手段に登録されている場合に、受信した上記第２のメールアドレス宛の電子メールの添付ファイルを上記記憶手段に保存する制御を行う。
【００１５】
また、本発明に係る画像形成装置において、例えば、上記送信元アドレス登録手段は、上記第２のメールアドレス宛の電子メールの送信元アドレスとともにパスワードを設定登録し、上記制御手段は、上記不揮発性の記憶手段に保存された上記第２のメールアドレス宛の電子メールの添付ファイルを印刷する際に、上記送信元アドレスとパスワードの入力を受け付けて、上記第２のメールアドレス宛の電子メールの添付ファイルの印刷処理を実行させる制御を行う。
【００１６】
本発明は、ネットワークを介して送られてくる電子メールを受信するための第１のメールアドレスと第２のメールアドレスを有する画像形成装置により受信した電子メールの添付ファイルの画像形成制御方法であって、電子メールを受信し、受信した電子メールが上記第１のメールアドレス宛の電子メールであるか否かを判定し、受信した電子メールが上記第１のメールアドレス宛の電子メールである場合には、受信した上記第１のメールアドレス宛の電子メールの添付ファイルを印刷し、受信した電子メールが上記第１のメールアドレス宛の電子メールでない場合には、受信した電子メールが上記第２のメールアドレス宛の電子メールであるか否かを判定し、電子メールが上記第２のメールアドレス宛の電子メールである場合には、受信した上記第２のメールアドレス宛の電子メールの添付ファイルを印刷することなく不揮発性の記憶手段に保存しておく制御を行うことを特徴とする。
【００１７】
本発明に係る画像形成方法では、例えば、上記第２のメールアドレス宛の電子メールの送信元アドレスを登録しておき、受信した電子メールが上記第２のメールアドレス宛の電子メールである場合に、受信した上記第２のメールアドレス宛の電子メールの送信元アドレスが登録されているか否かを判定し、受信した上記第２のメールアドレス宛の電子メールの送信元アドレスが登録されている場合に、受信した上記第２のメールアドレス宛の電子メールの添付ファイルを印刷することなく不揮発性の記憶手段に保存しておく制御を行う。
【００１８】
また、本発明に係る画像形成方法では、例えば、上記第２のメールアドレス宛の電子メールの送信元アドレスとともにパスワードを設定登録しておき、上記不揮発性の記憶手段に保存された上記第２のメールアドレス宛の電子メールの添付ファイルを印刷する際に、上記送信元アドレスとパスワードの入力を受け付けて、上記第２のメールアドレス宛の電子メールの添付ファイルの印刷処理を実行させる制御を行う。
【発明の効果】
【００１９】
本発明では、受信すると無条件に受信したメールを印刷するための第１のメールアドレスと、印刷せずに、ハードディスクなど不揮発性の記憶装置に保存するための第２のメールアドレスの２つのメールアドレスを画像形成装置に持たせることによって、第２のメールアドレスに送られてきた電子メールの添付ファイルは印刷を実行することなく受信した添付ファイルを保存しておき、第１のメールアドレスに送られてきた電子メールの添付ファイルは直ちに印刷を実行することができ、ユーザの利便性の向上を図ることができる。
【発明を実施するための最良の形態】
【００２０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２１】
本発明は、例えば図１に示すように、ホストコンピュータ１０と、上記ホストコンピュータ１０からインターネット網などのネットワーク１を介して電子メールが送られてくるＰＯＰ３サーバ（Post Office Protocol 3 Server）１８に接続された画像形成装置２０とを有する画像形成システム１００に適用される。
【００２２】
この画像形成システム１００において、画像形成装置２０は、ホストコンピュータ１０から供給される印刷データを印刷する機能を備えたプリンタ装置であって、装置全体の制御および各種演算処理を行うコンピュータ（ＣＰＵ）３０、プログラムやデータを格納するためのリードオンリメモリ（ＲＯＭ）４０、作業領域として一時的にプログラムやデータを記憶するためのランダムアクセスメモリ（ＲＡＭ）５０、ハードディスクなど不揮発性の記憶装置５５、各種情報の表示および各種指示の入力に使用される操作パネル部６０、電子写真式プロセス等の周知の作像プロセスを用いて、各種データを用紙などの記録媒体上に印刷する印刷部７０、および上記ネットワーク１５に接続するためのＬＡＮカードなどの通信インターフェース８０などがバス９０を介して相互に接続されている。
【００２３】
上記画像形成装置２０には、その機能的な構成を図２のブロック図に示すように、上記通信インターフェース８０を介してデータを受信するデータ受信部３１、上記データ受信部３１により受信したデータの解析を行なうデータ解析部３２、上記データ解析部３２からの指示に従って描画データを処理する描画データ処理部３３、上記描画データ処理部３３で作成されたディスプレイリストからビデオＲＡＭ上にビットマップを作成する描画部３４、システムのメモリを管理するメモリ管理部３５、システムの共通情報を管理し、システムの制御を行なうシステム制御部３６などが、上記ＣＰＵ３０による処理機能として搭載されており、上記描画部３４により作成されたビットマップに従って上記印刷部７０で実際に記録媒体に印刷を行うようになっている。
【００２４】
上記画像形成装置２０は、２つのメールアドレス（［mailAddress1］，［mailAddress2］）を持っている。第１のメールアドレス［mailAddress1］は、受信すると無条件に受信したメールを印刷するためのメールアドレスであり、第２のメールアドレス［mailAddress2］は、登録している送信元アドレスからのメールであれば、印刷せずに、ハードディスクなど不揮発性の記憶装置５５に保存するためのメールアドレスである。
【００２５】
そして、この画像形成システム１００において、上記画像形成装置２０は、装置全体の制御および各種演算処理を行うコンピュータ３０が、操作パネル部６０の操作による設定登録を受け付けることにより、図３に示すように、上記第２のメールアドレス［mailAddress2］の設定として、送信元のメールアドレスと、それに対応するパスワードを設定登録することができるようになっている。この組み合わせを複数個設定登録して、プリンタ装置に記憶させることができる。また、メールアドレス毎にディレクトリを生成する。すなわち、上記画像形成装置２０に備えられたコンピュータ３０は、上記第２のメールアドレス宛の電子メールの送信元アドレスを登録する送信元アドレス登録手段として機能する。
【００２６】
上記画像形成装置２０に備えられたコンピュータ３０は、図４のフローチャートに示す手順に従って電子メールの受信処理を行う。
【００２７】
すなわち、上記画像形成装置２０に備えられたコンピュータ３０は、電子メールの受信処理を開始すると、先ず、第１のメールアドレス［mailAddress1］宛の電子メールの受信処理を行い（ステップＳ１）、上記第１のメールアドレス［mailAddress1］宛の電子メールを上記データ受信部３１で受信したか否かを判定し（ステップＳ２）、その判定結果が「ＹＥＳ」、すなわち、上記第１のメールアドレス［mailAddress1］宛の電子メールを受信した場合には、上記データ受信部３１で受信した上記第１のメールアドレス［mailAddress1］宛の電子メールの添付ファイルを上記印刷部７０で実際に記録媒体に印刷する印刷処理を行って、電子メールの受信処理を終了する。
【００２８】
また、上記画像形成装置２０に備えられたコンピュータ３０は、上記ステップＳ２における判定結果が「ＮＯ」、すなわち、上記第１のメールアドレス［mailAddress1］宛の電子メールを受信したのではない場合には、次に、第２のメールアドレス［mailAddress2］宛の電子メールの受信処理を行い（ステップＳ４）、上記第２のメールアドレス［mailAddress2］宛の電子メールを上記データ受信部３１で受信したか否かを判定する（ステップＳ５）。
【００２９】
また、上記画像形成装置２０に備えられたコンピュータ３０は、上記ステップＳ５における判定結果が「ＹＥＳ」、すなわち、上記第２のメールアドレス［mailAddress2］宛の電子メールを受信した場合には、受信した電子メールのＭＩＭＥヘッダから送信元アドレスを取り出し、受信した電子メールの送信元アドレスが設定登録されているか否かを判定し（ステップＳ６）、また、上記ステップＳ５における判定結果が「ＮＯ」、すなわち、送信元アドレスが登録されていない上記第２のメールアドレス［mailAddress2］宛の電子メールを受信していない場合には、そのまま電子メールの受信処理を終了する。
【００３０】
上記画像形成装置２０に備えられたコンピュータ３０は、上記データ受信部３１で受信した上記第２のメールアドレス宛の電子メールの送信元アドレスが上記送信元アドレス登録手段に登録されているか否かを判定する送信元アドレス判定手段として機能する。
【００３１】
さらに、上記画像形成装置２０に備えられたコンピュータ３０は、上記ステップＳ６における判定結果が「ＮＯ」、すなわち、受信した電子メールのメールアドレスが設定登録されていない場合には、上記データ受信部３１で受信した上記第２のメールアドレス［mailAddress2］宛の電子メールの添付ファイルを上記印刷部７０で実際に記録媒体に印刷する印刷処理を行って（ステップＳ７）、電子メールの受信処理を終了する。
【００３２】
そして、上記画像形成装置２０に備えられたコンピュータ３０は、上記ステップＳ６における判定結果が「ＹＥＳ」、すなわち、受信した電子メールの送信元アドレスが設定登録されている場合には、上記データ受信部３１で受信した上記第２のメールアドレス［mailAddress2］宛の電子メールの添付ファイルを記録媒体に印刷することなく、ハードディスクなど不揮発性の記憶装置５５のディレクトリに保存する保存処理を行って（ステップＳ８）、電子メールの受信処理を終了する。
【００３３】
すなわち、上記画像形成装置２０に備えられたコンピュータ３０は、上記データ受信部３１により受信した電子メールが上記第１のメールアドレス宛の電子メールである場合には、受信した上記第１のメールアドレス宛の電子メールの添付ファイルを上記印刷部７０により印刷し、上記データ受信部３１により受信した電子メールが上記第２のメールアドレス宛の電子メールである場合には、上記送信元アドレス判定手段による判定結果に基づいて、受信した上記第２のメールアドレス宛の電子メールの送信元アドレスが上記送信元アドレス登録手段に登録されている場合に、受信した上記第２のメールアドレス宛の電子メールの添付ファイルを上記記憶手段に保存する制御を行う制御手段として機能する。
【００３４】
このような構成の画像形成システム１００では、上記第１のメールアドレス［mailAddress1］宛に送られた電子メールの添付ファイルは、そのまま、無条件に印刷させることが可能である。そして、上記第２のメールアドレス［mailAddress2］宛に送られた電子メールの添付ファイルは、送信元アドレスが登録されていない場合には印刷され、送信元アドレスが登録されている場合には、そのまま印刷は行わず、ハードディスクなど不揮発性の記憶装置５５のディレクトリに保存される。
【００３５】
なお、送信元アドレスが登録されていない第２のメールアドレス［mailAddress2］宛に送られた電子メールの添付ファイルは、何も行わない、すなわち、印刷を行わず、記憶装置５５にも添付ファイルを保存しない、ようにしてもよい。
【００３６】
そして、この画像形成システム１００において、上記ステップＳ８にて記憶装置５５のディレクトリに保存されたファイルは、ユーザが上記操作パネル部６０を操作して、上記記憶装置５５のディレクトリに保存されたファイルの印刷を指示することにより印刷処理が実行される。
【００３７】
すなわち、上記画像形成装置２０に備えられたコンピュータ３０は、ユーザが上記操作パネル部６０の操作に応じて、図５に示すように、上記第２のメールアドレス［mailAddress2］宛に届いた電子メールの添付ファイルを印刷するためのアドレス選択画面を操作パネル部６０に表示する制御を行い、ユーザによる上記操作パネル部６０の操作により、上記アドレス選択画面上で登録された送信元のメールアドレスの選択指定を受け付けると、図６に示すように、上記第２のメールアドレス［mailAddress2］宛に届いた電子メールの添付ファイルを印刷するためのパスワード入力画面を操作パネル部６０に表示する。
【００３８】
また、上記画像形成装置２０に備えられたコンピュータ３０は、ユーザによる上記操作パネル部６０の操作により、選択された送信元アドレスに対応するパスワードが上記パスワード入力画面上で入力されると、図７に示すように、上記第２のメールアドレス［mailAddress2］宛に届いた電子メールの添付ファイルを印刷するためのファイル選択画面を操作パネル部６０に表示する。
【００３９】
上記ファイル選択画面には、上記記憶装置５５のディレクトリに保存された上記第２のメールアドレス［mailAddress2］宛に届いた電子メールの添付ファイルの一覧が表示される。
【００４０】
そして、上記画像形成装置２０に備えられたコンピュータ３０は、ユーザによる上記操作パネル部６０の操作により、上記ファイル選択画面上で印刷するファイルの選択指定を受け付けると、選択指定されたファイルを上記印刷部７０で実際に記録媒体に印刷する印刷処理を実行する。
【００４１】
このような構成の画像形成システム１００では、２つのメールアドレスを画像形成装置２０に持たせることによって、第２のメールアドレス［mailAddress2］宛に送られてきた電子メールの添付ファイルは印刷を実行することなく受信した添付ファイルを保存しておき、第１のメールアドレス［mailAddress1］宛に送られてきた電子メールの添付ファイルは直ちに印刷を実行することができ、ユーザの利便性の向上を図ることができる。
【００４２】
すなわち、上記画像形成システム１００では、２つのメールアドレスを使用できることで、直ぐに印刷したい場合と、直ぐには印刷せずに記憶装置に保存したい場合とで、使い分けることができる。
【００４３】
なお、上記画像形成システム１００では、第２のメールアドレス［mailAddress2］を予め登録しておき、上記第２のメールアドレス［mailAddress2］宛の電子メールの送信元アドレスを予め登録しておき、受信した上記第２のメールアドレス［mailAddress2］宛の電子メールの送信元アドレスが上記送信元アドレス登録手段に登録されているか否かを判定して、登録された送信元アドレスから上記第２のメールアドレス［mailAddress2］宛の電子メールの添付ファイルは印刷を実行することなく保存しておくようにしたが、上記第２のメールアドレス［mailAddress2］宛の電子メールは全て印刷を実行することなく保存しておくようにしてもよい。
【図面の簡単な説明】
【００４４】
【図１】本発明を適用した画像形成システムを示すブロック図である。
【図２】上記画像形成システムにおける画像形成装置の機能的な構成を示すブロック図である。
【図３】上記画像形成装置に備えられたコンピュータが送信元アドレス登録手段として機能して、操作パネル部の操作による設定登録を受け付ける場合の設定登録画面を模式的に示す図である。
【図４】上記コンピュータにより実行される電子メールの受信処理の手順を示すフローチャートである。
【図５】上記操作パネル部に表示するアドレス選択画面を模式的に示す図である。パスワード入力画面
【図６】上記操作パネル部に表示するパスワード入力画面を模式的に示す図である。
【図７】上記操作パネル部に表示するファイル選択画面を模式的に示す図である。
【符号の説明】
【００４５】
１０  ホストコンピュータ、１５  ネットワーク、１８  ＰＯＰ３サーバ、３０  ＣＰＵ、４０  ＲＯＭ、３１  データ受信部、３２  データ解析部、３３  描画データ処理部、３４  描画部、３５  メモリ管理部、３６  システム制御部、５０  ＲＡＭ、５５  記憶装置、６０  操作パネル部、７０  印刷部、８０  通信インターフェース、９０  バス、１００  印刷システム
【図１】
2009193547.tif 000003
【図２】
2009193547.tif 000004
【図３】
2009193547.tif 000005
【図４】
2009193547.tif 000006
【図５】
2009193547.tif 000007
【図６】
2009193547.tif 000008
【図７】
2009193547.tif 000009